(57)【特許請求の範囲】
【請求項１】
シート状の敷設物の上を走行する装置本体と、装置本体に連結され、敷設物と敷設面との間に挿入される挿入部材と、装置本体に取り付けられ、敷設物を切断する円盤状のカッターとを備え、挿入部材を敷設物と敷設面との間に挿入し、挿入部材に乗り上げた敷設物をカッターで切断しながら装置本体を前進させることにより、敷設物を装置本体の進行方向に沿って切断するシート状敷設物の切断装置において、
前記装置本体を昇降することによりカッターの上下方向の位置を調整する調整手段を備え、
挿入部材を装置本体の昇降に応じて上下方向に移動するように設け、
挿入部材に装置本体に連結される連結部を設けるとともに、
連結部をカッターによる切断により二分された敷設物の間を通過するように配置し、
連結部の幅方向一方の側面をカッターの幅方向一方の側面と幅方向同一位置になるように形成するとともに、
連結部の幅方向他方の側面を前端側が後方に向かって幅方向外側に斜めに延びる傾斜面をなすように形成し、
装置本体に設けられる車輪のうち連結部に最も近い車輪側に連結部の幅方向一方の側面を配置した
ことを特徴とするシート状敷設物の切断装置。
【請求項２】
前記挿入部材を下方に向かって付勢する付勢手段を備えた
ことを特徴とする請求項１記載のシート状敷設物の切断装置。
【請求項３】
前記装置本体の前方の切断位置に配置される切断ガイドを備えた
ことを特徴とする請求項１または２記載のシート状敷設物の切断装置。
【請求項４】
前記挿入部材を、前端側の接地端と装置本体との連結点とを結ぶ線と、挿入部材の下面とのなす角度が３５゜以上４０゜以下になるように形成した
ことを特徴とする請求項１、２または３記載のシート状敷設物の切断装置。
【請求項５】
前記調整手段を駆動して装置本体を昇降させる駆動手段と、
カッターの下端の位置を検出する第１の検出手段と、
挿入部材の上面の位置を検出する第２の検出手段と、
第１の検出手段によって検出されるカッターの下端の位置と第２の検出手段によって検出される挿入部材の上面の位置に基づいて装置本体を昇降させることにより挿入部材の上面に対するカッターの下端の位置が所定位置になるように駆動手段を制御する制御手段とを備えた
ことを特徴とする請求項１、２、３または４記載のシート状敷設物の切断装置。
【発明の詳細な説明】
【技術分野】
【０００１】
本発明は、例えばテニスコート、野球場のグランド、その他の種運動施設に敷設された人工芝等、シート状の敷設物を切断するためのシート状敷設物の切断装置に関するものである。
【背景技術】
【０００２】
従来、テニスコート、野球場のグランド等の各種運動施設に敷設される人工芝としては、合成樹脂製のパイルが植設されたシート状の基材をアスファルト等の下地層の上に設置し、基材上のパイル間に細かい砂や珪砂、またはこれらにゴムチップを混合してなる充填物を充填したものが知られている（例えば、特許文献１参照）。
【０００３】
このような人工芝は、充填物層が雨や散水等の水分を透水するので、水はけが良く、コンディションの管理が容易であるとともに、緑色に着色された充填物を用いることにより、美観に優れるだけでなく、白色パイルからなるラインの視認性を高めることもできるという利点がある。また、競技者が着地した際の衝撃が充填物によって吸収されるとともに、充填物によって適度な滑りが得られるので、競技者の負担を軽減することができ、転倒時やスライディング時のパイルとの摩擦による火傷を防止する効果もある。
【０００４】
しかしながら、パイル間に充填物を充填した人工芝は、充填物が踏み固められるなど、経時変化により充填物が固結して硬化し、衝撃吸収性が損なわれるとともに、透水性が低下して水はけが悪くなるため、通常５〜１０年で張り替える必要がある。
【０００５】
人工芝の張り替え工事では、既設の人工芝を充填物が入ったままの状態でロール状に巻き取り、敷設場所から撤去して産業廃棄物として処分している。しかしながら、人工芝と充填物とを分別すればそれぞれ再利用可能な場合が多いため、このような撤去後の人工芝や充填物をそのまま産業廃棄物として処分したのでは、資源の無駄な消費になるとともに、産業廃棄物の処分費用も発生し、張り替え工事費を増加させることにもなる。そこで、充填物入りの人工芝を敷設場所から回収し、工場等で人工芝と充填物に分別することにより、人工芝を再利用するとともに、人工芝と分別した充填物を新たに敷設される人工芝に充填したり、或いは土木用、建築用資材として他の用途に利用することが提案されている（例えば、特許文献２参照）。
【０００６】
また、敷設面に敷設されている人工芝を切断する装置としては、装置本体に取り付けられた板状の挿入部材を人工芝と敷設面との間に挿入し、挿入部材によって敷設面から浮き上がらせた人工芝を円盤状のカッターで切断しながら装置本体を前進させることにより、人工芝を装置本体の進行方向に沿って切断するようにしたものが知られている（例えば、特許文献３参照）。
【先行技術文献】
【特許文献】
【０００７】
【特許文献１】特開平６−１９３０１０号公報
【特許文献２】特開２００９−１１３０２０号公報
【特許文献３】特開２００８−２８５８７９号公報
【発明の概要】
【発明が解決しようとする課題】
【０００８】
ところで、前記切断装置では、カッターを回転させながら人工芝を切断するようにしているが、人工芝を砂入りの状態で切断するため、砂との摩擦によりカッターが摩耗しやすいという問題がある。しかしながら、カッターの中心位置から敷設面までの距離は一定であるため、摩耗により円盤カッターの外径が小さくなると、カッターが人工芝の下端まで届かなくなり、人工芝を切断することができなくなる。このため、カッターの交換作業によって人工芝の切断作業が頻繁に中断し、切断作業の効率を低下させるとともに、カッターを外径が僅かに摩耗しただけで交換しなければならず、カッターに要するコストが高くつくという問題点があった。
【０００９】
本発明は前記問題点に鑑みてなされたものであり、その目的とするところは、カッターを頻繁に交換する必要がなく、敷設物の切断作業を効率よく行うことのできるシート状敷設物の切断装置を提供することにある。
【課題を解決するための手段】
【００１０】
本発明は前記目的を達成するために、シート状の敷設物の上を走行する装置本体と、装置本体に連結され、敷設物と敷設面との間に挿入される挿入部材と、装置本体に取り付けられ、敷設物を切断する円盤状のカッターとを備え、挿入部材を敷設物と敷設面との間に挿入し、挿入部材に乗り上げた敷設物をカッターで切断しながら装置本体を前進させることにより、敷設物を装置本体の進行方向に沿って切断するシート状敷設物の切断装置において、前記装置本体を昇降することによりカッターの上下方向の位置を調整する調整手段を備え、挿入部材を装置本体の昇降に応じて上下方向に移動するように設け、挿入部材に装置本体に連結される連結部を設けるとともに、連結部をカッターによる切断により二分された敷設物の間を通過するように配置し、連結部の幅方向一方の側面をカッターの幅方向一方の側面と幅方向同一位置になるように形成するとともに、連結部の幅方向他方の側面を前端側が後方に向かって幅方向外側に斜めに延びる傾斜面をなすように形成し、装置本体に設けられる車輪のうち連結部に最も近い車輪側に連結部の幅方向一方の側面を配置している。
【００１１】
これにより、カッターが摩耗して外径が小さくなった場合は、調整手段によって装置本体を下降することにより、敷設物を切断可能な位置にカッターの上下方向の位置を調整することができる。その際、挿入部材が装置本体の昇降に応じて上下方向に移動することから、挿入部材の上下方向の位置を人為的に調整する必要がない。また、挿入部材の連結部がカッターによる切断により二分された敷設物の間を通過するように配置され、連結部の幅方向一方の側面がカッターの幅方向一方の側面と幅方向同一位置になるように形成されるとともに、装置本体に設けられる車輪のうち連結部に最も近い幅方向一方の前輪側に連結部の幅方向一方の側面が配置されることから、幅方向一方の前輪と連結部との間の敷設物に幅方向の外力が生ずることがなく、幅方向一方の前輪と連結部との間の敷設物が円滑に通過する。
【発明の効果】
【００１２】
本発明によれば、カッターが摩耗して外径が小さくなった場合でも、カッターを頻繁に交換する必要がないので、切断作業を効率よく行うことができる。また、カッターを外径が僅かに摩耗しただけで交換する必要がないので、カッターを寿命に達するまで使用することができ、カッターに要するコストを低減することができる。更に、調整手段によってカッターの上下方向の位置を調整する際、挿入部材の上下方向の位置を人為的に調整する必要がないので、カッターの上下方向の位置に拘わらず挿入部材を常に適正な位置に保つことができる。また、挿入部材の連結部がカッターによる切断により二分された敷設物の間を通過する際、幅方向一方の前輪と連結部との間の敷設物に幅方向の外力が生ずることがないので、幅方向一方の前輪と連結部との間の敷設物を円滑に通過させることができる。これにより、装置本体の走行抵抗を増大させることがなく、直進安定性を低下させることもないので、敷設物を容易且つ正確に切断することができる。
【図面の簡単な説明】
【００１３】
【図１】本発明の一実施形態を示す切断装置の側面図
【図２】切断装置の平面図
【図３】切断装置の要部拡大側面図
【図４】Ａ−Ａ線矢視方向断面図
【図５】切断装置の動作を示す要部拡大側面図
【図６】切断装置の動作を示す要部一部断面平面図
【図７】カッターの摩耗状態を示す切断装置の要部拡大側面図
【図８】カッターの上下位置の調整工程を示す切断装置の要部拡大側面図
【図９】人工芝の断面図
【図１０】本発明の他の実施形態を示す切断装置の要部拡大側面図
【図１１】制御系を示すブロック図
【図１２】制御部の動作を示すフローチャート
【発明を実施するための形態】
【００１４】
図１乃至図９は本発明の一実施形態を示すもので、例えばテニスコート、野球場のグランド、その他の種運動施設等に敷設されているシート状敷設物としての人工芝１を切断するための切断装置を示すものである。
【００１５】
人工芝１は、図９に示すように、シート状の基材１ａと、基材１ａに植設されたパイル１ｂとからなり、パイル１ｂの間には充填物２が充填されている。また、人工芝１は、地盤側に形成された敷設面としての下地層３上に敷設される。
【００１６】
基材１ａは、例えばポリプロピレン製の平織りまたは不織布の基布等によって形成され、排水用の孔（図示せず）が等間隔で設けられた透水性を有するシート状の部材からなる。
【００１７】
パイル１ｂは、ナイロン、ポリアミド、ポリエチレンテレフタレート、ポリプロピレン、ポリ塩化ビニリデン等の合成樹脂からなるパイル糸からなり、タフティング等により基布１ａに植設されている。この場合、パイル糸を複数本ずつ等間隔で配置することにより芝面が形成されている。
【００１８】
充填物２は、細かい砂や珪砂、またはこれらにゴムチップを混合してなり、人工芝１のパイル１ｂの間に充填されている。この場合、充填物２は、パイル１ｂの高さに対して９割程度の高さまで充填される。
【００１９】
下地層３は、砕石や栗石等を敷き詰めた透水構造の基礎地盤４の上に、透水性のアスファルトを上面が平坦となるように施工することにより形成されている。人工芝１は、下地層３の表面に設置された後、パイル１ｂの間に充填物２を充填されることにより敷設されている。この場合、人工芝１は、充填物２の重量によって下地層３上に置敷き施工されている。
【００２０】
本実施形態の切断装置は、走行可能な装置本体１０と、人工芝１を切断するカッター２０と、人工芝１と下地層３との間に挿入される挿入部材３０と、挿入部材３０を上下方向に移動自在に支持する支持機構４０と、前方の切断位置と位置合わせするための切断ガイド５０とから構成されている。
【００２１】
装置本体１０は、左右一対ずつ設けられた前輪１１及び後輪１２を有し、後方に延びる左右一対の把持部１３を把持しながら前方に押すことにより、前輪１１及び後輪１２が回転して走行するようになっている。また、装置本体１０には、装置本体１０を昇降することによりカッター２０の上下方向の位置を調整する調整手段としての調整機構１４が設けられている。調整機構１４は、各前輪１１を支持する支持部材１４ａと、支持部材１４ａに支持された各前輪１１の上下方向の位置を変える回動軸１４ｂと、回動軸１４ｂを回動操作するためのハンドル１４ｃとからなる。支持部材１４ａは一端側（前端側）に各前輪１１が取り付けられ、他端側（後端側）を装置本体１０に回動自在に連結されている。回動軸１４ｂは上下方向に延びる軸状の部材からなり、装置本体１０に回動自在に設けられている。回動軸１４ｂの下端側は、例えばウォームギヤ等を用いた連動機構（図示せず）を介して支持部材１４ａの他端側に連結され、回動軸１４ｂを一方に回動すると支持部材１４ａの一端側（前輪１１側）を上昇させ、他方に回動すると支持部材１４ａの一端側を下降させるようになっている。ハンドル１４ｃは回動軸１４ｂの上端に取り付けられ、上方に延びる把持部１４ｄを把持しながら回動軸１４ｂを回動操作可能に形成されている。また、装置本体１０の前端側には、カッター２０が取り付けられる回転軸１５が設けられている。
【００２２】
カッター２０は、回転しながら切断する丸刃状のカッターからなり、砂入り人工芝の切断用としては円盤状の切断砥石が好ましい。カッター２０は、装置本体１０の前端側の右側方に配置され、装置本体１０に搭載された駆動装置２１によって回転するようになっている。駆動装置２１は、例えばガソリンエンジンからなり、その駆動軸は図示しないベルト及びプーリを介して回転軸１５に連結されている。
【００２３】
挿入部材３０は、前後方向に長い板状の部材からなり、前端側の上面が前方に向かって下り傾斜をなすように形成されている。挿入部材３０の前端側にはカッター２０の下端側が配置される切り欠き部３１が設けられ、切り欠き部３１は挿入部材３０の前端から挿入部材３０の前後方向略中央まで延びるように形成されている。切り欠き部３１には、図３に示すようにカッター２０の下端側が上方から入り込んでおり、カッター２０の下端から切り欠き部３１の上端（挿入部材３０の上面）までの距離αは、挿入部材３０の厚さＢの半分程度が適正位置として好ましい。また、挿入部材３０は、装置本体１０の進行方向右側の前輪１１の幅方向外側に配置され、その後端側には支持機構４０に連結される連結部３２が設けられている。連結部３２は、厚さ方向が挿入部材３０の幅方向となる板状に形成され、挿入部材３０の後端側の上面から後方に向かって斜め上方に延びるように形成されている。連結部３２は、幅方向の厚さがカッター２０の厚さよりも大きく形成され、図４に示すように幅方向一方の側面（装置本体１０の進行方向左側）がカッター２０の幅方向一方の側面と同一の仮想平面Ｘ1 上に位置するように全体が平面状に形成されている。また、連結部３２の幅方向他方の側面（装置本体１０の進行方向右側）は、カッター２０の幅方向他方の側面と同一の仮想平面Ｘ2 よりも幅方向外側に位置しており、その前端側は後方に向かって幅方向外側に斜めに延びる傾斜面３２ａをなし、後端側は平面状に形成されている。また、連結部３２の上端側には支持機構４０に固定される固定部３３が設けられている。挿入部材３０の下面は、前端側が前方に向かって上り傾斜をなすように形成され、前端のやや後方位置からほぼ後端までが下地層３に接地するように形成されている。この場合、挿入部材３０は、前端側の接地端Ｐ1 と装置本体１０との連結点Ｐ2 （固定部３３の中心）とを結ぶ線Ｌと、挿入部材３０の下面とのなす角度θが３５゜以上４０゜以下になるように形成されている。
【００２４】
支持機構４０は、装置本体１０に固定された固定部材４１と、固定部材４１に上下方向に移動自在に係合する可動部材４２と、可動部材４２を下方に向かって付勢する付勢手段としてのコイル状のバネ４３とからなり、可動部材４２には挿入部材３０が固定部３３を介して固定されている。
【００２５】
切断ガイド５０は、装置本体１０から前方に延びるガイドアーム５１と、ガイドアーム５１の先端に回動自在に取り付けられた円盤状のガイド板５２とからなり、ガイド板５２はカッター２０による切断位置の前方延長線上に配置されるようになっている。ガイドアーム５１は装置本体１０の前端に取付部材５３を介して回動自在に取り付けられ、使用していないときは、図１の一点鎖線に示すように上方に回動しておくことができるようになっている。
【００２６】
以上のように構成された切断装置によって人工芝１を切断する場合は、挿入部材３０を充填物２の入った人工芝１と下地層３との間に挿入し、カッター２０を回転させながら装置本体１０を前進させる。これにより、図５に示すように人工芝１が挿入部材３０の上面に乗り上げながら切り欠き部３１の上でカッター２０により切断される。その際、切断ガイド５０を前方の切断位置Ｃに配置しながら装置本体１０を前進させることにより、人工芝１が切断位置Ｃに沿って切断される。
【００２７】
前記切断時においては、図６に示すように切断後に左右に二分された人工芝１−１，１−２の間を挿入部材３０の連結部３２が通過するため、二分された人工芝１−１，１−２が連結部３２の幅方向の厚さ分だけ連結部３２の幅方向に離れようとするが、連結部３２の幅方向一方の側面とカッター２０の幅方向一方の側面は互いに幅方向の同一位置にあり、連結部３２の幅方向他方の側面はカッター２０の幅方向他方の側面よりも幅方向外側に位置しているため、連結部３２の幅方向他方に位置する人工芝１−２のみに幅方向への押圧力Ｆが生ずる。この場合、連結部３２の幅方向一方には一方の前輪１１が近接して配置されているため、一方の前輪１１と連結部３２との間の人工芝１−１は一方の前輪１１によって下地層３に押し付けられて幅方向への移動を規制されているが、連結部３２の幅方向一方の人工芝１−１には幅方向への押圧力が生じないため、連結部３２が切断後の人工芝１−１，１−２の間を円滑に通過する。即ち、仮に連結部３２の幅方向一方の人工芝１−１が他方の人工芝１−２のように連結部３２から幅方向への押圧力を受けたとすると、一方の前輪１１と連結部３２との間の人工芝１−１が幅方向に圧縮され、これが装置本体１０の走行の抵抗となるとともに、前輪１１が横方向から力を受けて直進安定性が損なわれるが、本実施形態では連結部３２の幅方向一方の人工芝１−１には幅方向への押圧力が生じないため、走行抵抗を増大させることがなく、直進安定を低下させることもない。
【００２８】
また、人工芝１は充填物２の入った状態で切断されるため、充填物２との摩擦によりカッター２０が摩耗しやすく、図７に示すように摩耗によりカッター２０の外径Ｄ1 が初期の外径Ｄ0 （図中一点鎖線）よりも小さくなり、カッター２０の下端が挿入部材３０の上面に届かなくなると、人工芝１を切断することができなくなる。この場合は、昇降機構１４のハンドル１４ｃを回動操作して装置本体１０を下降し、装置本体１０に対して前輪１１の位置を上げることにより、図８に示すようにカッター２０の下端が挿入部材３０の切り欠き部３１内に適正位置（挿入部材３０の上面からαだけ下方の位置）まで入り込むようにカッター２０の上下方向の位置を調整する。その際、装置本体１０の下降に伴って支持機構４０の可動部材４２がバネ４３に抗して上昇し、装置本体１０に対する挿入部材３０の位置が常に下地層３の上面に圧接した状態となる。
【００２９】
このように、本実施形態によれば、挿入部材３０を人工芝１と下地層３との間に挿入し、挿入部材３０に乗り上げた人工芝１をカッター２０で切断しながら装置本体１０を前進させることにより、人工芝１を装置本体１０の進行方向に沿って切断する切断装置において、装置本体１０を昇降することによりカッター２０の上下方向の位置を調整する調整機構１４を備えているので、カッター２０が摩耗して外径が小さくなった場合は、調整機構１４によって装置本体１０を下降することにより、人工芝１を切断可能な位置にカッター２０の上下方向の位置を調整することができる。これにより、カッター２０を頻繁に交換する必要がなく、切断作業を効率よく行うことができるとともに、カッター２０を外径が僅かに摩耗しただけで交換する必要がないので、カッター２０を寿命に達するまで使用することができ、カッター２０に要するコストを低減することができる。
【００３０】
また、挿入部材３０を装置本体１０の昇降に応じて上下方向に移動するように設けたので、調整機構１４によってカッター２０の上下方向の位置を調整する際、挿入部材３０の上下方向の位置を人為的に調整する必要がなく、カッター２０の上下方向の位置に拘わらず挿入部材３０を常に適正な位置に保つことができる。
【００３１】
更に、挿入部材３０をバネ４３により下方に向かって付勢するようにしたので、挿入部材３０を常に下地層３に押し付けることができ、切断時の挿入部材３０の上下動を抑制することができる。
【００３２】
また、挿入部材３０の連結部３２をカッター２０による切断により二分された人工芝１−１，１−２の間を通過するように配置し、連結部３２の幅方向一方の側面をカッター２０の幅方向一方の側面と幅方向同一位置になるように形成するとともに、装置本体１０に設けられる車輪のうち連結部３２に最も近い幅方向一方の前輪１１側に連結部３２の幅方向一方の面を配置したので、幅方向一方の前輪１１と連結部３２との間の人工芝１−１に幅方向の外力が生ずることがなく、幅方向一方の前輪１１と連結部３２との間の人工芝１−１を円滑に通過させることができる。これにより、装置本体１０の走行抵抗を増大させることがなく、直進安定性を低下させることもないので、人工芝１を容易且つ正確に切断することができる。
【００３３】
更に、挿入部材３０は、前端側の接地端Ｐ1 と装置本体との連結点Ｐ2 とを結ぶ線Ｌと、挿入部材３０の下面とのなす角度θが３５゜以上４０゜以下になるように形成されているので、挿入部材３０の下面が下地層３から摩擦力を受けた際、角度θが大きすぎて挿入部材３０が前のめりに引掛かることを防止することができ、挿入部材３０を常に円滑に下地層３上を滑動させることができる。また、角度θが小さすぎることによる挿入部材３０の前後方向の大型化を来すことがないので、挿入部材３０の小型化を図ることができる。
【００３４】
図１０乃至図１２は本発明の他の実施形態を示すもので、前記実施形態と同等の構成部分には同一の符号を付して示す。
【００３５】
本実施形態の切断装置は、前記構成に加え、カッター２０の下端の位置を検出する第１のセンサ６０と、挿入部材３０の上面の位置を検出する第２のセンサ７０と、調整機構１４を駆動して装置本体１０を昇降させる駆動手段としてのモータ８０と、カッター２０の外径に応じて装置本体１０を昇降させることによりカッター２０の上下方向の位置が所定位置になるようにモータ８０を制御する制御手段としての制御部９０とを備えている。
【００３６】
第１のセンサ６０は、例えば光センサ等の周知の機器からなり、装置本体１０からカッター２０の外周縁までの距離Ｌ1 を検出するようになっている。
【００３７】
第２のセンサ７０は、例えば光センサ等の周知の機器からなり、第１のセンサ６０と同一の高さ位置から挿入部材３０の上面までの距離Ｌ2 を検出するようになっている。
【００３８】
モータ８０は、調整機構１４の回動軸１４ｂに歯車等の伝動機構（図示せず）を介して連結され、調整機構１４の回動軸１４ｂを回転させることにより装置本体１０を昇降させるようになっている。
【００３９】
制御部９０は、マイクロコンピュータ等の制御機器によって構成され、第１及び第２のセンサ６０，７０からの検出信号に基づき、モータ８０の駆動回路に駆動信号を出力するようになっている。
【００４０】
ここで、図１２のフローチャートを参照して制御部８０の動作について説明する。まず、第１のセンサ６０によって装置本体１０からカッター２０の外周縁までの距離Ｌ1 を検出するとともに（Ｓ１）、第２のセンサ７０によって装置本体１０から挿入部材３０の上面までの距離Ｌ2 を検出する（Ｓ２）。ここで、第１のセンサ６０からカッター２０の回転軸１５の中心までの距離Ｋは一定であるため、カッター２０の下端（外周縁）が挿入部材３０の上面と同一の高さ位置にあるとすると、距離Ｌ1 ，Ｌ2 は以下の式(1)(2)の関係となる。ここで、Ｌ3 は、第１のセンサ６０からカッター２０の下端までの距離である。
【００４１】
２Ｋ−Ｌ1 ＝Ｌ3                …(1)
【００４２】
Ｌ2 ＝Ｌ3                      …(2)
【００４３】
次に、挿入部材３０の厚さＢの１／２をαとし、第２のセンサ８０の検出距離Ｌ2 が距離Ｌ3 からαを減じた距離になるようにモータ７０を駆動して装置本体１０を下降させる（Ｓ３）。
【００４４】
この後、カッター２０が摩耗して外径が小さくなり、第１のセンサ６０の検出距離Ｌ1 に基づく距離Ｌ3 が距離Ｌ2 以下になった場合は（Ｓ４）、前記ステップＳ３に戻り、第２のセンサ８０の検出距離Ｌ2 が距離Ｌ3 からαを減じた距離になるようにモータ７０を駆動して装置本体１０を下降する。これにより、カッター２０の下端が挿入部材３０の切り欠き部３１内にαだけ入り込んだ位置まで下降する。
【００４５】
このように、本実施形態によれば、第１のセンサ６０によって検出されるカッター２０の下端の位置と第２のセンサ７０によって検出される挿入部材３０の上面の位置に基づいて装置本体１０を昇降させることにより、挿入部材３０の上面に対するカッター２０の下端の位置が所定位置になるようにしたので、カッター２０が摩耗して外径が小さくなった場合、カッター２０の上下方向の位置を調整機構１４によって自動で適正な高さ位置に調整することができる。これにより、切断作業を中断してカッター２０の上下方向の位置を手動で調整する必要がなく、切断作業を極めて効率よく行うことができる。
【００４６】
尚、前記実施形態では、挿入部材３０をバネ４３により下方に付勢するようにしたものを示したが、バネを設けずに挿入部材３０を自重により下方に移動させるようにしてもよい。
【００４７】
また、前記実施形態では、シート状の敷設物として人工芝１を示したが、本発明の切断装置は、マットやカーペット等、他のシート状の敷設物を切断する場合にも用いることができる。
【符号の説明】
【００４８】
１…人工芝、２…充填物、１０…装置本体、１４…調整機構、２０…カッター、３０…挿入部材、３２…連結部、４０…支持機構、６０…第１のセンサ、７０…第２のセンサ、８０…モータ、９０…制御部。
【図１】
0005847768.tif 000002
【図２】
0005847768.tif 000003
【図３】
0005847768.tif 000004
【図４】
0005847768.tif 000005
【図５】
0005847768.tif 000006
【図６】
0005847768.tif 000007
【図７】
0005847768.tif 000008
【図８】
0005847768.tif 000009
【図９】
0005847768.tif 000010
【図１０】
0005847768.tif 000011
【図１１】
0005847768.tif 000012
【図１２】
0005847768.tif 000013